(57)【要約】  ディスク装置は、ピックアップ装置を移動可能に保持するガイドシャフト２３１Ｂと、このガイドシャフト２３１Ｂのフォーカス方向への移動を案内する案内片２１４と、フォーカス方向と略平行する軸方向を有する回動軸３２１を中心として回動可能に設けられるとともに、調整ねじ３３０が当接することにより回動軸３２１を中心とした所定方向に回動される回動調節面３２２、およびガイドシャフト２３１Ｂの周面に当接するシャフト当接部３２３を備えたシャフトカム３２０と、ガイドシャフト２３１Ｂをシャフト当接部３２３に近接する側に付勢する板ばね３１２と、を具備し、シャフト当接部３２３は、ガイドシャフト２３１Ｂとの当接点から回動軸３２１までの距離寸法Ｄｂが、回動調節面３２２における調整ねじ３３０との当接点Ａから回動軸３２１までの距離Ｄａよりも小さくなる位置に設けられた。
2008107946.tif 000002
【特許請求の範囲】
【請求項１】
記録媒体を保持する保持手段に保持された前記記録媒体に情報を書き込む書込み処理、および前記記録媒体に記録された情報を読み込む読込処理のうち少なくともいずれか一方の処理を実施するピックアップ装置を移動可能に保持する略軸状のシャフトと、
前記シャフトの前記ピックアップ装置から前記保持手段に保持された前記記録媒体に向かうフォーカス方向への移動を案内する案内部と、
フォーカス方向と略平行する軸方向を有する回動軸を中心として回動可能に設けられるとともに、回動方向に向かってフォーカス方向に対して傾斜して設けられ、フォーカス方向と略平行する方向に移動可能に設けられる回動調整手段の一部が当接することにより前記回動軸を中心とした所定方向に回動される回動調節面、および回動方向に向かってフォーカス方向に対して傾斜して設けられ、前記シャフトの周面に当接するシャフト当接部を備えたカム部材と、
前記シャフトを前記シャフト当接部に近接する側に付勢する付勢手段と、
を具備し、
前記シャフト当接部は、前記回動軸までの距離寸法が、前記回動軸から前記回動調節面までの距離よりも小さくなる位置に設けられた
ことを特徴としたピックアップ保持装置。
【請求項２】
請求項１に記載のピックアップ保持装置であって、
前記シャフト当接部は、前記カム部材の回動により前記シャフトの一部が接触する接触移動軌跡における接線の前記回動軸に対する傾斜角の最大値が、前記調整当接部の前記回動軸に対する傾斜角より小さくなる状態に形成された
ことを特徴としたピックアップ保持装置。
【請求項３】
記録媒体を保持する保持手段に保持された前記記録媒体に情報を書き込む書込み処理、および前記記録媒体に記録された情報を読み込む読込処理のうち少なくともいずれか一方の処理を実施するピックアップ装置を移動可能に保持する略軸状のシャフトと、
前記シャフトの前記ピックアップ装置から前記保持手段に保持された前記記録媒体に向かうフォーカス方向への移動を案内する案内部と、
フォーカス方向と略平行する方向に軸方向を有する回動軸を中心として回動可能に設けられるとともに、回動方向に向かってフォーカス方向に対して傾斜して設けられ、フォーカス方向に移動可能に設けられる回動調整手段の一部が当接することにより前記回動軸を中心とした所定方向に回動される回動調節面、および回動方向に向かってフォーカス方向に対して傾斜して設けられ、前記シャフトの周面に当接するシャフト当接部を備えたカム部材と、
前記シャフトを前記シャフト当接部に近接する側に付勢する付勢手段と、
を具備し、
前記シャフト当接部は、前記カム部材の回動により前記シャフトの周面の一部が接触する接触移動軌跡における接線の前記回動軸に対する傾斜角の最大値が、前記回動調節面の前記回動軸に対する傾斜角よりも小さくなる状態に形成された
ことを特徴としたピックアップ保持装置。
【請求項４】
請求項３に記載のピックアップ保持装置であって、
前記シャフト当接部は、前記回動軸までの距離寸法が、前記回動軸から前記回動調節面までの距離よりも小さくなる位置に設けられた
ことを特徴としたピックアップ保持装置。
【請求項５】
請求項２ないし請求項４のいずれかに記載のピックアップ保持装置であって、
前記シャフト当接部は、前記カム部材の回動方向に向かってフォーカス方向に対して傾斜する傾斜面と、この傾斜面上に設けられるとともに、前記接触移動軌跡に沿って前記シャフトに近接する方向に突出して前記シャフトの周面の一部に当接するリブ部材と、を備え、このリブ部材の先端部における接線の前記回動軸に対する傾斜角が、前記回動調節面の前記回動軸に対する傾斜角よりも小さくなる状態に形成された
ことを特徴としたピックアップ保持装置。
【請求項６】
請求項２ないし請求項４のいずれかに記載のピックアップ保持装置であって、
前記シャフト当接部は、前記カム部材の回動方向に向かってフォーカス方向に対して傾斜する傾斜面または仮想傾斜面上に、前記接触移動軌跡に沿う一部が前記シャフトに近接する方向に突出する略楔形状の突出部が設けられ、この突出部の前記接触移動軌跡に沿う突出線における接線の前記回動軸に対する傾斜角が、前記回動調節面の前記回動軸に対する傾斜角よりも小さくなる状態に形成された
ことを特徴としたピックアップ保持装置。
【請求項７】
請求項２ないし請求項４のいずれかに記載のピックアップ保持装置であって、
前記シャフト当接部は、前記接触移動軌跡に沿って前記シャフトの周面の少なくとも一部が当接する曲面形状に形成された
ことを特徴としたピックアップ保持装置。
【請求項８】
請求項１ないし請求項７のいずれかに記載のピックアップ保持装置であって、
前記カム部材は、略中心部に前記回動軸が設けられる長手棒状に形成され、
前記回動調節面は、前記カム部材の長手一端側に設けられ、
前記シャフト当接部は、前記カム部材の前記回動軸を挟んで前記回動調節面と反対側となる他端側に設けられた
ことを特徴としたピックアップ保持装置。
【請求項９】
請求項８に記載のピックアップ保持装置であって、
前記カム部材は、前記シャフトの軸方向に略平行する位置に、前記シャフト当接面が前記シャフトの周面に対向する状態に設けられるとともに、前記カム部材の長手方向に沿う一側縁上に、前記回動調節面および前記シャフト当接面が設けられ、
前記回動調整手段は、前記シャフトの軸方向延長上に設けられている
ことを特徴としたピックアップ保持装置
【請求項１０】
請求項１ないし請求項９のいずれかに記載のピックアップ保持装置であって、
前記回動調整手段は、軸方向に沿って雄ねじ山が螺旋形成される軸部、および軸部の一端部に前記軸部の径寸法よりも大きい径寸法を有するとともに、外周縁の一部が前記回動調節面に当接する頭部を有するビス部材である
ことを特徴としたピックアップ保持装置。
【請求項１１】
請求項１０に記載のピックアップ保持装置であって、
前記案内部が設けられるとともに、前記カム部材を回動可能に保持する台座部を備え、
前記回動調整手段は、前記台座部にフォーカス方向に沿って設けられた調整孔部に前記軸部が螺合されて保持された
ことを特徴としたピックアップ保持装置。
【請求項１２】
請求項１ないし請求項１１のいずれかに記載のピックアップ保持装置であって、
長手略板状に形成されて、長手一端側に前記保持手段が設けられるとともに、前記保持手段が設けられる一端側がフォーカス方向に対して進退自在に保持される台座部を備え、
前記シャフトは、軸方向が前記台座部の長手方向と略平行して設けられるとともに、一端側が前記台座部の近傍に位置する状態に設けられ、
前記案内部、前記カム部材、および前記付勢手段は、前記シャフトの前記台座部側の端部近傍に設けられた
ことを特徴としたピックアップ保持装置。
【請求項１３】
請求項１ないし請求項１２のいずれかに記載のピックアップ保持装置と、
前記記録媒体を保持する保持手段と、
前記ピックアップ保持装置に移動可能に保持されるとともに、前記保持手段に保持された前記記録媒体に情報を書き込む書込み処理、および前記記録媒体に記録された情報を読み込む読込処理のうち少なくともいずれか一方の処理を実施するピックアップ装置と、
前記ピックアップ保持装置、前記保持手段、および前記ピックアップ装置を内部に収納するとともに、前記記録媒体を内外に出し入れ可能な開口部を備えたケース体と、
を具備したことを特徴としたディスク装置。
【発明の詳細な説明】
【技術分野】
【０００１】
本発明は、記録媒体に所定の処理を実施するピックアップを保持するピックアップ保持装置、およびディスク装置に関する。
【背景技術】
【０００２】
従来、所定位置に保持された光ディスクの径方向に沿って移動可能に設けられ、この光ディスクに情報を記録する記録処理や光ディスクの情報を読み込む読込処理などの情報処理を実施するピックアップ機構を備えたディスク装置が知られている（例えば、特許文献１参照）。【０００３】
この特許文献１に記載のものは、光ディスクを載置するディスクテーブルと、ディスクテーブルに載置された光ディスクに対して情報信号の記録又は再生を行う光ピックアップ装置と、ディスクテーブルを一体的に形成されるベースシャーシと、を有する光ピックアップユニットを備えた記録再生装置である。この記録再生装置では、ベースシャーシを構成するフレームに、光ピックアップ装置を支持する一対のガイド軸が設けられている。これらのガイド軸は、両端部が胴体部分よりも細く形成され、この両端部がフレームに設けられるスキュー調整機構に支持されている。
このスキュー調整機構は、ベースシャーシの上面部および下面部間に配設されるハウジングと、ハウジング内に設けられてガイド軸の端部の上面側に当接する弾性部材と、ベースシャーシの下面に設けられたねじ穴から挿通され、ガイド軸を弾性部材と反対側から押圧する調整ねじとを備えている。
そして、この記録再生装置では、スキュー調整機構において、ベースシャーシの下面側に穿設されたねじ穴から調整ねじを挿通し、調整ねじのハウジング内への突出長さを調整することでガイド軸の傾きや高さを調節する構成が採られている。【０００４】
【特許文献１】特開平２００４−２３４７９８号公報（第１１頁ないし第１３頁、図９ないし図１１参照）
【発明の開示】
【発明が解決しようとする課題】
【０００５】
ところで、上記特許文献１に記載のような従来の記録再生装置におけるスキュー調整機構では、調整ねじのハウジング内への突出長さを変更すると、この突出長さ分だけガイド軸の高さ位置が変化する。すなわち、調整ねじの調整回転角度に対するガイド軸の移動量が大きくなるため、ガイド軸の調整精度が低下するおそれがあるという問題が一例として挙げられる。【０００６】
本発明は、上記のような問題に鑑みて、適切にピックアップを保持するピックアップ装置、およびディスク装置を提供することを一つの目的とする。
【課題を解決するための手段】
【０００７】
本発明のピックアップ保持装置は、記録媒体を保持する保持手段に保持された前記記録媒体に情報を書き込む書込み処理、および前記記録媒体に記録された情報を読み込む読込処理のうち少なくともいずれか一方の処理を実施するピックアップ装置を移動可能に保持する略軸状のシャフトと、前記シャフトの前記ピックアップ装置から前記保持手段に保持された前記記録媒体に向かうフォーカス方向への移動を案内する案内部と、フォーカス方向と略平行する軸方向を有する回動軸を中心として回動可能に設けられるとともに、回動方向に向かってフォーカス方向に対して傾斜して設けられ、フォーカス方向と略平行する方向に移動可能に設けられる回動調整手段の一部が当接することにより前記回動軸を中心とした所定方向に回動される回動調節面、および回動方向に向かってフォーカス方向に対して傾斜して設けられ、前記シャフトの周面に当接するシャフト当接部を備えたカム部材と、前記シャフトを前記シャフト当接部に近接する側に付勢する付勢手段と、を具備し、前記シャフト当接部は、前記回動軸までの距離寸法が、前記回動軸から前記回動調節面までの距離よりも小さくなる位置に設けられたことを特徴とする。【０００８】
また、本発明のピックアップ保持装置は、記録媒体を保持する保持手段に保持された前記記録媒体に情報を書き込む書込み処理、および前記記録媒体に記録された情報を読み込む読込処理のうち少なくともいずれか一方の処理を実施するピックアップ装置を移動可能に保持する略軸状のシャフトと、前記シャフトの前記ピックアップ装置から前記保持手段に保持された前記記録媒体に向かうフォーカス方向への移動を案内する案内部と、フォーカス方向と略平行する方向に軸方向を有する回動軸を中心として回動可能に設けられるとともに、回動方向に向かってフォーカス方向に対して傾斜して設けられ、フォーカス方向に移動可能に設けられる回動調整手段の一部が当接することにより前記回動軸を中心とした所定方向に回動される回動調節面、および回動方向に向かってフォーカス方向に対して傾斜して設けられ、前記シャフトの周面に当接するシャフト当接部を備えたカム部材と、前記シャフトを前記シャフト当接部に近接する側に付勢する付勢手段と、を具備し、前記シャフト当接部は、前記カム部材の回動により前記シャフトの周面の一部が接触する接触移動軌跡における接線の前記回動軸に対する傾斜角の最大値が、前記回動調節面の前記回動軸に対する傾斜角よりも小さくなる状態に形成されたことを特徴とする。【０００９】
そして、本発明のディスク装置は、上述したようなピックアップ保持装置と、前記記録媒体を保持する保持手段と、前記ピックアップ保持装置に移動可能に保持されるとともに、前記保持手段に保持された前記記録媒体に情報を書き込む書込み処理、および前記記録媒体に記録された情報を読み込む読込処理のうち少なくともいずれか一方の処理を実施するピックアップ装置と、前記ピックアップ保持装置、前記保持手段、および前記ピックアップ装置を内部に収納するとともに、前記記録媒体を内外に出し入れ可能な開口部を備えたケース体と、を具備したことを特徴とする。
【図面の簡単な説明】
【００１０】
【図１】本発明の第一実施形態に係るディスク装置の概略を示す平面図である。
【図２】前記第一実施形態におけるディスク処理部のディスク処理部を底面側から見た平面図である。
【図３】前記第一実施形態のディスク処理部のシャフトの端部近傍の拡大平面図である。
【図４】前記第一実施形態のシャフトカムにおける回動調節面の近傍における断面図である。
【図５】前記第一実施形態のシャフトカムにおけるシャフト当接部近傍の断面図である。
【図６】前記第一実施形態のシャフトカムの概略を示す斜視図である。
【図７】第二実施形態のシャフトカムの概略を示す斜視図である。
【図８】第三実施形態のシャフトカムの概略を示す斜視図である。
【符号の説明】
【００１１】
１００    …ディスク装置
１１０    …ケース体
２００    …ピックアップ保持装置としてのトラバースメカ
２１０    …台座部
２１４    …案内部としての案内片
２１５    …調整孔部としての調整用孔部
２２１    …保持手段としてのターンテーブル
２４０    …ピックアップ装置
２３１Ａ，２３１Ｂ…シャフトとしてのガイドシャフト
３１２    …付勢手段としての板ばね
３２０    …カム部材としてのシャフトカム
３２１    …回動軸
３２２    …回動調節面
３２３、３２３Ａ，３２３Ｅ…シャフト当接部
３２３Ｃ  …突出部としての当接部
３２３Ｄ  …突出線としての楔頂線
３２３Ｆ  …傾斜面としての傾斜平面
３２３Ｇ  …リブ部材
３２３Ｈ  …リブ部材の先端部を構成する突出先端縁
３３０    …回動調整手段としての調整ねじ
３３１    …軸部
３３２    …頭部
Ｍ        …接触移動軌跡。
【発明を実施するための最良の形態】
【００１２】
［第一実施形態］
以下、本発明に係る第一実施形態に係るディスク装置を図面に基づいて説明する。
図１は、本発明の第一実施形態に係るディスク装置の概略を示す平面図である。図２は、前記第一実施形態におけるディスク処理部のディスク処理部を底面側から見た平面図である。図３は、前記第一実施形態のディスク処理部のシャフトの端部近傍の拡大平面図である。図４は、前記第一実施形態のシャフトカムにおける回動調節面の近傍における断面図である。図５は、前記第一実施形態のシャフトカムにおけるシャフト当接部近傍の断面図である。図６は、前記第一実施形態のシャフトカムの概略を示す斜視図である。【００１３】
〔ディスク装置の構成〕
図１において、１００は、本発明の一実施形態にかかるディスク装置である。このディスク装置１００は、例えばノート型のパーソナルコンピュータなどの携帯型の電気機器や、車両などに搭載される電気機器などに装着される、いわゆるセルフチャック機構のスリムディスク装置（あるいはスリムディスクドライブ）と称されるものである。なお、ディスク装置としては、スリムディスクドライブを例示するが、例えばデスクトップ型パーソナルコンピュータなどに搭載される所定高さ寸法を有するディスクドライブなどにも適用することができる。
このディスク装置１００は、記録媒体における少なくとも一面に設けられた記録面に記録された情報を読み込む読込処理、および記録面へ各種情報を記録する記録処理のうち少なくとも一方の処理をする。ここで、この記録媒体としては、例えば、ＣＤ(Compact Disc)やＤＶＤ(Digital Versatile Disc)あるいはＢＤ（Blu-ray Disc：ブルーレイディスク）またはＨＤ−ＤＶＤ（High Definition DVD）などの光ディスク、光磁気ディスク、磁気ディスク、あるいは、これらを貼り合わせた複合ディスク、カートリッジなどにこれらのディスクを格納したカートリッジタイプの記録媒体などの各種構成を例示することができる。
そして、ディスク装置１００は、例えば金属製で内部空間を有し一側面に図示しない挿排口が設けられた略四角箱状のケース体１１０を有している。また、ケース体１１０内には、トレイ部１２０と、このトレイ部１２０をケース体１１０の開口を介して進退させる搬送手段１３０と、ディスク装置１００全体の動作を制御する図示しない制御回路部と、が配設されている。【００１４】
トレイ部１２０は、トレイ１２１と、化粧板１２２と、を備えている。
トレイ１２１は、例えば合成樹脂などにて略板状に形成されている。そして、トレイ１２１には、略中央部に装着開口１２１Ａが開口形成されている。
化粧板１２２は、トレイ１２１の一縁に設けられ、搬送手段１３０にてケース体１１０内に後退された状態でケース体１１０の開口を閉塞する合成樹脂などにて細長板状に形成されている。
そして、トレイ部１２０には、トレイ１２１の装着開口１２１Ａに一部が臨む状態にピックアップ保持装置としてのトラバースメカ２００が配設されている。【００１５】
搬送手段１３０は、ケース体１１０内に配設されたガイドレール１３１と、図示しない付勢部材と、図示しない付勢解除手段と、などを備えている。
ガイドレール１３１は、トレイ部１２０の開口を介した進退方向に沿って配設され、トレイ部１２０の進退移動を案内誘導する。
付勢部材は、例えばばね部材などで、トレイ部１２０がケース体１１０内に後退された状態で弾性変形され、弾性変形による復元力をトレイ部１２０が開口を介して進出する状態に作用させる。
付勢解除手段は、トレイ部１２０がケース体１１０内に後退されて化粧板１２２が開口を閉塞した状態でトレイ部１２０に設けられた図示しない係脱手段に係合する。そして、付勢解除手段は、例えば化粧板１２２に配設されたイジェクトボタンの操作など、トレイ部１２０の進出要求に応じて係脱手段の係合状態を解除する。【００１６】
トレイ部１２０に配設されたトラバースメカ２００は、台座部２１０を備えている。この台座部２１０は、トレイ部１２０の化粧板１２２側の一端部からトレイ部１２０の略中心部に向かって長手略板枠状に形成されている。
この台座部２１０には、長手一端側となるトレイ部１２０の中心近傍に位置する周縁近傍に、ディスク回転駆動手段２２０が配設されている。また、台座部２１０の長手他端側、すなわち、長手方向に沿う側縁２１１Ａの化粧板１２２近傍、および側縁２１１Ｂのトレイ部１２０の側面部１２０Ａ側近傍には、それぞれ外方に突出する台座支持部２１２が突出している。さらに、台座部２１０のディスク回転駆動手段２２０が配設される一端側近傍にも、台座支持部２１３が突出形成されている。
これらの台座支持部２１２，２１３は、それぞれトレイ部１２０の図示しない底面に、弾性を有するフロートゴムを介して接続されている。これにより、台座部２１０は、ディスク回転駆動手段２２０が設けられる一端側が、トレイ部１２０のトレイ１２１の面方向に略直交する方向に進退可能に保持されている。【００１７】
ディスク回転駆動手段２２０は、スピンドルモータである図示しない回転用電動モータと、この回転用電動モータの出力軸に一体的に設けられた略円盤状の保持手段としてのターンテーブル２２１と、を備えている。
ターンテーブル２２１は、略円柱状の軸支部２２１Ａと、この軸支部２２１Ａの軸方向の一端部に外方に向けて鍔状に一体に突設された鍔部２２１Ｂと、を備えている。そして、軸支部２２１Ａは、光ディスクの略中心位置に形成された装着孔の内径と略同径もしくは若干径小の外径に形成されている。【００１８】
また、台座部２１０には、処理移動手段２３０が配設されている。
処理移動手段２３０は、図２に示すように、軸方向が略平行に配設された一対のガイドシャフト２３１Ａ，２３１Ｂと、例えばステッピングモータである移動用電動モータ２３２と、を備えている。【００１９】
ガイドシャフト２３１Ａ，２３１Ｂは、台座部２１０の長手方向に沿って、すなわち化粧板１２２の一端側からディスク回転駆動手段２２０が配設されるトレイ部１２０の略中央位置に向かって配設されている。
ガイドシャフト２３１Ａの両端部、およびガイドシャフト２３１Ｂの化粧板１２２に近接する端部には、第一シャフト調整部２３１Ｃが設けられている。
これらの第一シャフト調整部２３１Ｃは、例えば台座部２１０の底面側にシャフト押え板２３１Ｃ１を固定し、このシャフト押え板２３１Ｃ１と台座部２１０とによりガイドシャフト２３１Ａ，２３１Ｂの端部を挟持させる。そして、シャフト押え板２３１Ｃ１は、調整ねじを挿通可能な挿通孔を備え、この挿通孔から調整ねじを挿通させ、調整ねじの先端部でガイドシャフト２３１Ａ、２３１Ｂの周面を台座部２１０の天面側に押圧してガイドシャフト２３１Ａ，２３１Ｂのスキュー高さが調整可能となっている。また、台座部２１０とガイドシャフト２３１Ａ，２３１Ｂとの間には、図示しないばね部材が設けられており、ガイドシャフト２３１Ａ，２３１Ｂは、調整ねじ側に付勢されて調整時のガタなどが防止される構成となっている。【００２０】
また、ガイドシャフト２３１Ｂのディスク回転駆動手段２２０に近接する側の端部には、図３ないし図６に示すような第二シャフト調整部３００が設けられている。
そして、この第二シャフト調整部３００は、案内部としての案内片２１４と、シャフトカム取付金具３１０と、シャフトカム３２０と、を備えている。【００２１】
案内片２１４は、台座部２１０の底面から突出する状態に、台座部２１０に一体形成されている。具体的には、案内片２１４は、ガイドシャフト２３１Ｂの軸方向に沿うとともに、面方向が台座部２１０の底面と略直交する状態に形成されている。そして、この案内片２１４のガイドシャフト２３１Ｂとの対向面はガイドシャフト２３１Ｂの周面と当接している。これにより、案内片２１４は、ガイドシャフト２３１Ｂのフォーカス方向、すなわち台座部２１０の面方向と略直交する方向への移動を案内している。なお、案内片２１４が台座部２１０に一体形成される構成に限らず、例えば、台座部２１０の底面側にねじ止めなどの各種固定法により案内片２１４が固定される構成などとしてもよい。【００２２】
シャフトカム取付金具３１０は、台座部２１０の底面に沿う略板状の基部３１０Ａを備えている。この基部３１０Ａには、台座部２１０の底面側に固定される固定部３１１が設けられている。固定部３１１には、取付孔部が設けられ、この取付孔部にねじが挿通されて台座部２１０の底面に螺合されることにより、固定部３１１が台座部２１０に固定されている。なお、シャフトカム取付金具は、ねじ止めに限らず、例えば溶接、接着材による接着など、その他の固定方法で台座部２１０に固定される構成としてもよく、台座部２１０と一体形成されたものであってもよい。
また、シャフトカム取付金具３１０の基部３１０Ａには、ガイドシャフト２３１Ｂの軸方向に沿って、ガイドシャフト２３１Ｂと台座部２１０との間に配設される付勢手段としての板ばね３１２が一体形成されている。そして、この板ばね３１２は、シャフトカム２３１Ｂを台座部２１０側から離隔する方向に付勢している。なお、板ばね３１２は、シャフトカム取付金具３１０に一体形成される構成に限られず、例えばシャフトカム取付金具３１０に一体的に固定される構成としてもよく、台座部２１０に固定される構成、台座部２１０と一体形成される構成などとしてもよい。
さらに、シャフトカム取付金具３１０は、基部３１０Ａの周縁から立ち上がって形成される立上部３１３を備えている。この立上部３１３の先端部には、台座部２１０の側縁２１１Ｂ側に向かって突出するカム保持片３１３Ａが設けられている。このカム保持片３１３Ａには、軸支孔３１３Ｂが設けられ、この軸支孔３１３Ｂに後述するシャフトカム３２０の回動軸３２１が回動可能に保持されている。なお、回動軸３２１を軸支する構成としては、これに限られず、例えば、カム保持片３１３Ａから台座部２１０側にピン部材が突出し、このピン部材が回動軸３２１の軸心に挿通されて回動軸３２１が保持される構成などとしてもよい。【００２３】
シャフトカム３２０は、長手棒状に形成され、長手方向の略中心位置に台座部２１０の底面に対して略直交する回動軸３２１を備えている。そして、シャフトカム３２０は、前記したように回動軸３２１がカム保持片３１３Ａの軸支孔に回動可能に保持されることで、ガイドシャフト２３１Ｂの軸方向と略平行する状態で、回動可能に保持されている。【００２４】
また、シャフトカム３２０のガイドシャフト２３１Ｂから離れる方向の一端側には、回動調節面３２２が設けられている。この回動調節面３２２は、シャフトカム３２０の長手方向と略平行する側縁のうち台座部２１０内方側の側縁３２０Ａに沿って、設けられている。そして、この回動調節面３２２は、図４に示すように、シャフトカム３２０の側縁３２０Ａからシャフトカム３２０の長手方向に略直交する幅方向の略中心位置に向かうにしたがって、台座部２１０に近接する位置から台座部２１０から離れる方向に傾斜する傾斜平面状に形成されている。
また、回動調節面３２２の近傍には、台座部２１０の底面側から天面側に貫通して設けられる調整用孔部２１５に螺合された回動調整手段としての調整ねじ３３０が設けられている。この調整ねじ３３０は、軸部３３１に図示しない雄ねじ部が螺旋形成され、この軸部３３１の端部に軸部３３１より径大となる略円盤状の頭部３３２が一体形成されている。この頭部３３２は、外周縁の一端点が回動調節面３２２の傾斜面の一点（図３における当接点Ａ）に当接している。そして、この調整ねじ３３０の調整用孔部２１５への螺合状態を調整することにより、頭部３３２および回動調節面３２２の当接点が移動し、シャフトカム３２０は、所定方向に回動されて所定回動位置に位置決めされる。例えば、調整ねじ３３０が台座部２１０の調整用孔部２１５に没入されると、頭部３３２がシャフトカム３２０の回動調節面３２２の傾斜面を台座部２１０側に押圧するため、シャフトカム３２０は、図３における時計回り方向に回動する。【００２５】
さらに、シャフトカム３２０の長手方向における他端側には、ガイドシャフト２３１Ｂに対向する位置にシャフト当接部３２３が設けられている。このシャフト当接部３２３は、図５および図６に示すように、ガイドシャフト２３１Ｂと対向する一側縁３２０Ａが、外方に向かって所定寸法だけ突出した形状に形成されている。そして、このシャフト当接部３２３は、側縁３２０Ａの突出先端部からシャフトカム３２０の幅方向の略中心位置に向かうにしたがって、台座部２１０から離隔する位置から台座部２１０に近接する状態に傾斜して形成され、ガイドシャフト２３１Ｂの周面に当接している。
具体的には、シャフト当接部３２３は、ガイドシャフト２３１Ｂと点接触し、シャフトカム３２０の回動により、このシャフト当接部３２３とガイドシャフト２３１Ｂとの当接点Ｂの接触移動軌跡Ｍが、側縁３２０Ａからシャフトカム３２０の幅方向の略中心位置に向かうにしたがって台座部２１０から離隔する位置から台座部２１０に近接する方向に傾斜する曲面形状に形成されている。
ここで、シャフト当接部３２３は、前記接触移動軌跡Ｍにおける接線の回動軸３２１に対する傾斜角βの最大値が、回動調節面３２２の回動軸３２１に対する傾斜角αよりも小さい角度となる曲面形状に形成されている。また、好ましくは接触移動軌跡Ｍ上の全点Ｂにおける接線の回動軸３２１に対する傾斜角βが略同一で、かつ傾斜角αよりも小さい角度となる曲面形状に形成されている。
さらには、シャフト当接部３２３は、接触移動軌跡Ｍ上の各当接点Ｂと回動軸３２１との距離Ｄｂは、回動調節面３２２における調整ねじ３３０との当接点Ａと回動軸３２１との距離Ｄａよりも小さくなる位置に形成されている。【００２６】
そして、シャフトカム３２０には、回動調節面３２２およびシャフト当接部３２３が設けられない他側縁３２０Ｂの両端側の角部に、干渉回避部３２４が設けられている。この干渉回避部３２４は、他側縁３２０Ｂの端部に向かうにしたがって一側縁３２０Ａに近接する方向に傾斜する形状に形成されている。【００２７】
図１および図２に戻って、台座部２１０に設けられる移動用電動モータの図示しない出力軸には、外周面に螺旋状の図示しない係合溝が設けられたリードスクリュが同軸上に一体に連結されている。【００２８】
さらに、台座部２１０には、処理移動手段２３０の一対のガイドシャフト２３１Ａ，２３１Ｂに支持されたピックアップ装置２４０が配設されている。
このピックアップ装置２４０は、一対のガイドシャフト間に架橋する状態で保持される移動保持部２４１を備えている。この移動保持部２４１には、ガイドシャフトを移動可能に嵌挿する図示しない保持部と、移動用電動モータの出力軸に連結されたリードスクリュの係合溝に係合する図示しない移動規制爪部と、を備えている。そして、ピックアップ装置２４０は、例えば図示しないフレキシブル回路により制御回路部に電気的に接続されている。
また、このピックアップ装置２４０は、図示しない光源と、この光源からの光を収束するレンズ２５１と、光ディスクで反射された出射光を検出する図示しない光センサとを有する光ピックアップ２５０を備えている。この光ピックアップ２５０は、ピックアップ装置２４０に接続されるフレキシブル回路に電気的に接続され、このフレキシブル回路を介して制御回路部に接続されている。そして、光ピックアップ２５０は、制御回路部の制御により、光ディスクの記録面に記録された各種情報を読み取って出力回路部へ出力する読取処理や、制御回路部からの各種情報を記録面に記録する記録処理を実施する。【００２９】
そして、台座部２１０の上面側には、図１に示すように、カバー部材としてのＴＭカバー部材４００が設けられている。
このＴＭカバー部材４００は、例えばアルミなどの軽量金属により形成され、トラバー スメカ２００のディスク回転駆動手段２２０の回転用電動モータ、処理移動手段２３０、ピックアップ装置２４０の一部、フレキシブル回路を覆う状態に台座部２１０に固定されている。そして、このＴＭカバー部材４００は、フレキシブル回路の光ディスク側への突出や、光ディスクのピックアップ装置２４０への接触などを防止する。
そして、ＴＭカバー部材４００は、ピックアップ装置２４０の光ピックアップ２５０の移動経路、すなわちターンテーブル２２１の径方向に沿って処理開口部３０１が設けられている。この処理開口部４０１により、光ピックアップ２５０のレンズ２５１が光ディスクの記録面に対向し、記録面に所定波長の光を射出可能となっている。【００３０】
〔ディスク装置の動作〕
次に、上記ディスク装置１００の動作におけるピックアップ装置のスキュー高さ調整動作について説明する。【００３１】
上記のようなディスク装置１００では、ピックアップ装置２４０は、ターンテーブル２２１に保持された光ディスクに所定波長の光を射出し、光ディスクの記録面にて反射された反射光を光センサで受光する。このようなディスク装置１００では、ピックアップ装置２４０から射出される光の光軸が僅かにずれると、例えば正常に光ディスクの記録面に情報を書き込む書込み処理ができなかったり、光ディスクの記録面にて反射される反射光が正常に光センサで受光できなかったりする不都合が発生する。このため、ディスク装置１００の組立工程において、ピックアップ装置２４０の位置を調整する、いわゆるスキュー高さ調整動作が必要となる。【００３２】
このスキュー高さ調整動作では、まず、台座部２１０に一対のガイドシャフト２３１Ａ，２３１Ｂを配設する。そして、これらのガイドシャフト２３１Ａの両端部、およびガイドシャフト２３１Ｂのディスク回転駆動手段２２０から離隔する一端側の第一シャフト調整部２３１Ｃの調整ねじを適宜調整し、所定スキュー高さ寸法に設定する。【００３３】
次に、第二シャフト調整部３００にてガイドシャフト２３１Ｂのスキュー高さを調整する。
具体的には、第二シャフト調整部３００の調整ねじ３３０を台座部２１０の調整用孔部２１５に螺合させ、調整ねじ３３０を台座部２１０に対してフォーカス方向に進退させる。
この調整ねじ３３０の進退により、調整ねじ３３０の頭部３３２の外周縁がシャフトカム３２０の回動調節面３２２に当接し、シャフトカム３２０を回動させる。シャフトカム３２０が回動すると、回動調節面３２２と回動軸３２１を挟んで反対側に設けられるシャフト当接部３２３がガイドシャフト２３１Ｂ側に対して接離移動し、ガイドシャフト２３１Ｂのフォーカス方向の高さであるスキュー高さが変位する。【００３４】
例えば、調整ねじ３３０を調整用孔部２１５に没入させると、シャフトカム３２０の回動調節面３２２の傾斜面が頭部３３２に押されるため、シャフトカム３２０が図３における時計回り方向に回動する。これにより、シャフトカム３２０の回動調節面３２２と回動軸３２１を挟んで反対側に設けられるシャフト当接部３２３がガイドシャフト２３１Ｂ側に移動し、ガイドシャフト２３１Ｂとシャフト当接部３２３との当接点Ｂが接触移動軌跡Ｍ上をシャフトカム３２０における幅方向の略中心位置に向かって移動し、ガイドシャフト２３１Ｂが案内片２１４に沿って台座部２１０側に押し上げられて、ガイドシャフト２３１Ｂのスキュー高さ位置が設定される。
一方、調整ねじ３３０を調整用孔部２１５から引き抜く方向に移動させると、シャフトカム３２０の回動調節面３２２の傾斜面から頭部３３２が離隔する。また、ガイドシャフト２３１Ｂは、板ばね３１２によりシャフト当接部３２３側に付勢されているため、この付勢力によりシャフト当接部３２３が台座部２１０から離隔する方向に押されて移動する。そして、シャフトカム３２０が図３における反時計回り方向に回動し、回動調節面３２２が調整ねじ３３０の頭部３３２に当接すると、回動が規制され、ガイドシャフト２３１Ｂのスキュー高さ位置が設定される。
ここで、シャフト当接部３２３は、接触移動軌跡Ｍにおける接線の回動軸３２１に対する傾斜角βが、回動調節面３２２の回動軸３２１に対する傾斜角αよりも小さくなるように形成されているため、調整ねじ３３０の調整用孔部２１５への挿入量に比べてガイドシャフト２３１Ｂの移動量が小さくなる。また、シャフト当接部３２３は、ガイドシャフト２３１Ｂとの当接点Ｂから回動軸３２１までの距離寸法Ｄｂが、回動調節面３２２における調整ねじ３３０との当接面Ａから回動軸３２１までの距離寸法Ｄａよりも小さくなる状態に形成されている。このため、回動調節面３２２における調整ねじ３３０との当接点Ａの回動移動量よりも、シャフト当接部３２３におけるガイドシャフト２３１Ｂとの当接点Ｂの回動移動量が小さくなる。したがって、ガイドシャフト２３１Ｂのスキュー高さを微調整することが可能となる。【００３５】
〔第一実施形態のディスク装置の作用効果〕
上述したように、上記第一実施形態のディスク装置１００では、トラバースメカ２００は、ピックアップ装置２４０を移動可能に保持するガイドシャフト２３１Ｂと、ガイドシャフト２３１Ｂのフォーカス方向への移動を案内する案内片２１４と、台座部２１０にフォーカス方向と略同一方向となる回動軸３２１を有するシャフトカム３２０と、ガイドシャフト２３１Ｂを台座部２１０から離れる方向に付勢する板ばね３１２と、を備えている。また、シャフトカム３２０の一端側には、側縁３２０Ａからシャフトカム３２０の中心位置に向かうにしたがって、台座部２１０に近接する位置から台座部２１０から離れる方向に傾斜する回動調節面３２２が設けられ、他端側には、ガイドシャフト２３１Ｂに対向して、側縁３２０Ａからシャフトカム３２０の中心位置に向かうにしたがって、台座部２１０から離れる位置から台座部２１０に近接する方向に傾斜するシャフト当接部３２３が設けられている。そして、シャフトカム３２０のシャフト当接部３２３は、ガイドシャフト２３１Ｂと当接する当接点Ｂから回動軸３２１までの距離が、回動調節面３２２における調整ねじ３３０との当接点Ａから回動軸３２１までの距離よりも小さくなる状態に形成されている。
このため、シャフトカム３２０の回動による、ガイドシャフト２３１Ｂとシャフト当接部３２３との当接点Ｂの移動量は、調整ねじ３３０と回動調節面３２２との当接点Ａが移動する移動量よりも小さくなる。したがって、調整ねじ３３０のフォーカス方向の移動量に比べて、ガイドシャフト２３１Ｂのフォーカス方向への調整量を小さくすることができる。よって、調整ねじ３３０の移動量がガイドシャフト２３１Ｂの移動量となる従来の構成に比べて、より精密に、かつ容易にガイドシャフト２３１Ｂの移動量を調整することができ、ガイドシャフト２３１Ｂのスキュー高さを高精度に調整することができる。これにより、ピックアップ装置２４０を適切な位置で保持することができる。また、例えばＤＶＤ、ＢＤ、ＨＤ-ＤＶＤなどの光ディスクを情報処理するディスク装置１００では、精密な光軸設定が必要となるが、上記構成により、適切な位置に高精度にピックアップ装置２４０のスキュー高さを調整することができ、ピックアップ装置２４０により良好な情報処理を実施することができる。【００３６】
また、シャフトカム３２０は、台座部２１０の面方向で回動するため、フォーカス方向に変位せず、調整ねじ３３０の頭部３３２は、回動調節面３２２に当接するため、シャフトカム３２０の底面よりも台座部２１０側に位置し、シャフトカム３２０の底面側に突出しない。
このため、第二シャフト調整部３００の厚み寸法、すなわちフォーカス方向の長さ寸法が変位しないため、例えば調整ねじ３３０の突出寸法に対応したスペースが不要であるため、トラバースメカ２００の厚み寸法を小さくすることができる。
特に、上記実施形態のような、ディスク回転駆動手段２２０が設けられる台座部２１０の一端側がフォーカス方向に移動可能に設けられているディスク装置１００では、第二シャフト調整部３００の厚み寸法が増大すると、トレイ部１２０のトレイ底部や、ケース体１１０に接触するなどの不都合があり、接触を回避するスペースを設ける必要がある。これに対して、上記構成により、第二シャフト調整部３００のフォーカス方向の厚み寸法が変化せず、厚み寸法の増大も抑えることができるので、上記のようなスペースを不要にでき、ディスク装置１００の小型化を図ることができる。【００３７】
さらに、シャフトカム３２０のシャフト当接部３２３は、ガイドシャフト２３１Ｂとの当接点Ｂの接触移動軌跡Ｍにおける接線の回動軸３２１に対する傾斜角βの最大値が、回動調節面３２２における回動軸３２１に対する傾斜角αよりも小さい角度となる曲面形状に形成されている。
このため、調整ねじ３３０のフォーカス方向の移動量に対して、ガイドシャフト２３１Ｂの移動量を小さくすることができる。したがって、ガイドシャフト２３１のスキュー高さを容易に微調整することができ、高精度にスキュー高さを調整することができる。よって、ピックアップ装置２４０を適切な位置に保持することができる。
さらには、シャフト当接部３２３が、曲面形状に形成されているので、容易にシャフト当接部を形成することができる。
また、この時、上記したように、接触移動軌跡Ｍにおける接線の回動軸３２１に対する傾斜角αの傾斜率を、前記接触移動軌跡Ｍ上で略同一傾斜率をすることで、シャフトカム３２０の回動量に対するガイドシャフト２３１Ｂの押上げ量を一律とすることができる。したがって、ガイドシャフト２３１Ｂの移動量が、調整ねじ３３０の螺合角度により変化することがなく一律であるため、より容易に、かつ高精度にガイドシャフト２３１Ｂのスキュー高さの調整を実施することができる。【００３８】
また、シャフトカム３２０は、長手棒状に形成されている。
このため、シャフトカム３２０をガイドシャフト２３１Ｂの軸方向に略平行して配置することができる。したがって、台座部２１０の面外方向または面内方向にシャフトカム３２０が突出しないため、シャフトカム３２０の配設スペースが大きくならず、トラバースメカ２００の小型化にも対応できる。【００３９】
また、回動調節面３２２およびシャフト当接部３２３は、シャフトカム３２０の長手方向に沿う一側縁３２０Ａに沿って形成され、調整ねじ３３０は、ガイドシャフト２３１Ｂの延長線上に設けられている。このため、第二シャフト調整部３００の台座部２１０の面方向におけるガイドシャフト２３１Ｂに略直交する幅方向の寸法を小さくすることができ、より良好に小型化に対応することができる。【００４０】
また、回動調整手段として、雄ねじ山が螺旋形成された軸部３３１の端部に略円盤状の頭部３３２が形成された調整ねじ３３０を用いている。このため、調整ねじ３３０として、例えば一般的なビス部材を利用することができ、第二シャフト調整部３００の構成を簡単にできる。
そして、この調整ねじ３３０は、台座部２１０に設けられる調整用孔部２１５に螺合されている。このため、調整ねじ３３０を螺合して所定位置に保持する保持部材が不要となり、より簡単な構成でガイドシャフト２３１Ｂを調整する第二シャフト調整部３００を形成することができる。【００４１】
さらに、案内片２１４は、台座部２１０に一体形成されている。
このため、ガイドシャフト２３１Ｂのフォーカス方向への移動を案内する案内部材を別途用意する必要がなく、より簡単な構成とすることができる。【００４２】
そして、シャフトカム３２０の他側縁３２０Ｂの両端側には、先端部に向かうにしたがって一側縁３２０Ａ側に近接する方向に傾斜するように切欠形成された干渉回避部３２４が設けられている。これにより、シャフトカム３２０が回動した際に、シャフトカム３２０と台座部２１０やトレイ部１２０の一部との干渉を防止することができる。【００４３】
シャフト当接部３２３は、ガイドシャフト２３１Ｂに対向する一側縁３２０Ａ側が、ガイドシャフト２３１Ｂ側に向かって突出する形状に形成されている。
このため、シャフト当接部３２３の台座部２１０と反対側の周端面近傍に、このシャフト当接部３２３の突出先端部が配置され、ガイドシャフト２３１Ｂの抜け落ちなどを防止することができる。【００４４】
また、板ばね３１２は、シャフトカム３２０を回動自在に台座部に保持させるシャフトカム取付金具３１０に一体形成されている。このため、板ばね３１２を別途用意する必要がなく、部品点数を少なくすることができ、構成を簡単にすることができる。【００４５】
［第二実施形態］
〔ディスク装置の構成〕
次に本発明の第二実施形態のディスク装置について図面に基づいて説明する。図７は、第二実施形態のシャフトカムの概略を示す斜視図である。
なお、第二実施形態において、前記第一実施形態と略同様の構成については、同符号を付し、その説明を簡略もしくは省略する。
第二実施形態のディスク装置は、第一実施形態のディスク装置１００と略同様の構成を備えており、第一実施形態の第二シャフト調整部３００のシャフトカム３２０におけるシャフト当接部３２３を変形したものである。【００４６】
すなわち、第二実施形態のディスク装置は、第一実施形態と同様に、例えば金属製のケース体１１０を有している。また、ケース体１１０内には、第一実施形態と同様に、トレイ部１２０と、このトレイ部１２０をケース体１１０の開口を介して進退させる搬送手段１３０と、ディスク装置１００全体の動作を制御する図示しない制御回路部と、が配設されている。【００４７】
トレイ部１２０は、第一実施形態のトレイ部１２０と同様に、トレイ１２１と、化粧板１２２と、を備えている。
トレイ１２１は、例えば合成樹脂などにて略板状に形成され、略中央部に装着開口１２１Ａが設けられている。
化粧板１２２は、トレイ１２１の一縁に設けられ、搬送手段１３０にてケース体１１０内に後退された状態でケース体１１０の開口を閉塞する合成樹脂などにて細長板状に形成されている。
そして、トレイ部１２０には、第一実施形態のディスク装置１００と同様に、トレイ１２１の装着開口１２１Ａに一部が臨む状態にトラバースメカ２００が配設されている。【００４８】
搬送手段１３０は、第一実施形態の搬送手段１３０と同様に、ケース体１１０内に配設されたガイドレール１３１と、図示しない付勢部材と、図示しない付勢解除手段と、などを備え、トレイ部１２０をケース体１１０の内外に搬送する。【００４９】
トレイ部１２０に配設されたトラバースメカ２００は、第一実施形態のトラバースメカ２００と同様に、トレイ部１２０の化粧板１２２側の一端部からトレイ部１２０の略中心部に向かって長手略板枠状に形成される台座部２１０を備えている。また、この台座部２１０は、トレイ部１２０の略中央位置となる一端側にディスク回転駆動手段２２０が設けられている。さらに、台座部２１０は、台座支持部２１２，２１３を備え、この台座支持部２１２，２１３がフロートゴムを介してトレイ部１２０に取り付けられることで、ディスク回転駆動手段２２０が設けられる一端側がフォーカス方向に進退可能な状態に保持されている。【００５０】
また、台座部２１０には、第一実施形態の台座部２１０と同様に、軸方向が略平行に配設された一対のガイドシャフト２３１Ａ，２３１Ｂと、例えばステッピングモータである移動用電動モータ２３２と、を備えた処理移動手段２３０が配設されている。
ガイドシャフト２３１Ａ，２３１Ｂは、台座部２１０の長手方向に沿って、すなわち化粧板１２２の一端側からディスク回転駆動手段２２０が配設されるトレイ部１２０の略中央位置に向かって配設されている。【００５１】
そして、ガイドシャフト２３１Ｂのディスク回転駆動手段２２０に近接する側の端部には、第二シャフト調整部３００Ａが設けられている。
そして、この第二シャフト調整部３００Ａは、案内部としての案内片２１４と、シャフトカム取付金具３１０と、シャフトカム３２０と、を備えている。【００５２】
案内片２１４は、第一実施形態の案内片２１４と同様に、台座部２１０の底面から突出する状態に、台座部２１０に一体形成され、ガイドシャフト２３１Ｂのフォーカス方向への移動を案内している【００５３】
シャフトカム取付金具３１０は、第一実施形態のシャフトカム取付金具３１０と同様に、台座部２１０の底面に沿う略板状の基部３１０Ａを備えている。この基部３１０Ａは、固定部３１１、板ばね３１２、立上部３１３、カム保持片３１３Ａが設けられている。固定部３１１は、シャフトカム取付金具３１０を台座部２１０に固定している。板ばね３１２は、ガイドシャフト２３１Ｂを台座部２１０から離隔する方向に付勢する。立上部３１３およびカム保持片３１３Ａは、シャフトカム３２０を回動可能に保持している。【００５４】
シャフトカム３２０は、第一実施形態のシャフトカム３２０と同様に、長手棒状に形成され、長手方向の略中心位置に台座部２１０の底面に対して略直交する回動軸３２１を備えている。そして、シャフトカム３２０は、回動軸３２１がカム保持片３１３Ａの軸支孔に軸支されることで、回動可能に保持されている。
また、シャフトカム３２０の一側縁３２０Ａのガイドシャフト２３１Ａから離れる一端側には、第一実施形態のシャフトカム３２０と同様に、回動調節面３２２が設けられている。この回動調節面３２２は、シャフトカム３２０の長手方向と略平行する側縁のうち台座部２１０内方側の側縁３２０Ａに沿って、シャフトカム３２０の回動方向に向かって、台座部２１０に略直交する方向であるフォーカス方向に対して傾斜する状態に設けられている。すなわち、回動調節面３２２は、シャフトカム３２０の側縁３２０Ａからシャフトカム３２０の長手方向に略直交する幅方向の略中心位置に向かうにしたがって、台座部２１０に近接する位置から台座部２１０から離れる方向に傾斜する傾斜平面状に形成されている。
また、回動調節面３２２の近傍には、台座部２１０の底面側から天面側に貫通して設けられる調整用孔部２１５に螺合された回動調整手段としての調整ねじ３３０が設けられている。この調整ねじ３３０は、軸部３３１に図示しない雄ねじ部が螺旋形成され、この軸部３３１の端部に軸部３３１より径大となる略円盤状の頭部３３２が一体形成されている。この頭部３３２は、外周縁の一端点が回動調節面３２２の傾斜面の一点である当接点Ａに当接している。そして、この調整ねじ３３０の調整用孔部２１５への螺合状態を調整することにより、頭部３３２および回動調節面３２２の当接点が移動し、シャフトカム３２０は、所定方向に回動されて所定回動位置に位置決めされる。例えば、調整ねじ３３０が台座部２１０の調整用孔部２１５に没入されると、頭部３３２がシャフトカム３２０の回動調節面３２２の傾斜面を台座部２１０側に押圧するため、シャフトカム３２０は、図３における時計回り方向に回動する。【００５５】
さらに、シャフトカム３２０の一側縁３２０Ａの他端側には、ガイドシャフト２３１Ｂに対向する位置にシャフト当接部３２３Ａが設けられている。このシャフト当接部３２３Ａは、ガイドシャフト２３１Ｂと対向する一側縁３２０Ａが、外方に向かって所定寸法だけ突出した形状に形成されている。そして、このシャフト当接部３２３Ａは、側縁３２０Ａの突出先端部からシャフトカム３２０の幅方向の略中心位置に向かうにしたがって、台座部２１０から離れた位置から台座部２１０に近接する方向に傾斜して形成され、ガイドシャフト２３１Ｂと当接している。
具体的には、シャフト当接部３２３Ａは、図７に示すように、側縁３２０Ａの突出先端部からシャフトカム３２０の幅方向の略中心位置に向かう仮想傾斜平面３２３Ｂ上に、略楔形状の当接部３２３Ｃが設けられた形状に形成されている。
ここで、この当接部３２３Ｃは、シャフトカム３２０の一側縁３２０Ａからシャフトカム３２０の幅方向における中心位置に向かうにしたがって、台座部２１０から離隔する位置から台座部２１０に近接する方向に傾斜する楔頂線３２３Ｄが形成された略楔型形状に形成されている。この楔頂線３２３Ｄは、ガイドシャフト２３１Ｂの周面と任意の点（当接点Ｂ）にて当接する。また、この時、当接部３２３Ｃは、楔頂線３２３Ｄの接線の回動軸３２１に対する傾斜角βの最大値が、回動調節面３２２の回動軸３２１に対する傾斜角αよりも小さくなる形状に形成されている。なお、この傾斜角βは、楔頂線３２３Ｄの全領域で同一傾斜角となっていることが好ましく、この場合、シャフトカム３２０の回動量に対するガイドシャフト２３１Ｂの押上げ量が一律となる。
さらに、当接部３２３Ｃは、楔頂線３２３Ｄにおけるガイドシャフト２３１Ｂとの当接点Ｂから回動軸３２１までの距離寸法Ｄｂが、回動調節面３２２における調整ねじ３３０の頭部３３２との当接点Ａから回動軸３２１までの距離寸法Ｄａよりも小さくなる形状に形成されている。【００５６】
そして、シャフトカム３２０には、回動調節面３２２およびシャフト当接部３２３が設けられない他側縁３２０Ｂの両端側の角部に、干渉回避部３２４が設けられている。この干渉回避部３２４は、他側縁３２０Ｂの端部に向かうにしたがって一側縁３２０Ａに近接する方向に傾斜する形状に形成されている。【００５７】
また、台座部２１０に設けられる移動用電動モータの図示しない出力軸には、第一実施形態の移動用電動モータと同様に、外周面に螺旋状の図示しない係合溝が設けられたリードスクリュが同軸上に一体に連結されている。【００５８】
さらに、台座部２１０には、第一実施形態の台座部２１０と同様に、処理移動手段２３０の一対のガイドシャフト２３１Ａ，２３１Ｂに支持されたピックアップ装置２４０が配設されている。
このピックアップ装置２４０は、第一実施形態のピックアップ装置２４０と同様に、一対のガイドシャフト間に架橋する状態で保持される移動保持部２４１を備えている。この移動保持部２４１には、ガイドシャフトを移動可能に嵌挿する図示しない保持部と、移動用電動モータの出力軸に連結されたリードスクリュの係合溝に係合する図示しない移動規制爪部と、を備えている。そして、ピックアップ装置２４０は、例えば図示しないフレキシブル回路により制御回路部に電気的に接続されている。
また、このピックアップ装置２４０は、図示しない光源と、この光源からの光を収束するレンズ２５１と、光ディスクで反射された出射光を検出する図示しない光センサとを有する光ピックアップ２５０を備えている。この光ピックアップ２５０は、ピックアップ装置２４０に接続されるフレキシブル回路に電気的に接続され、このフレキシブル回路を介して制御回路部に接続されている。そして、光ピックアップ２５０は、制御回路部の制御により、光ディスクの記録面に記録された各種情報を読み取って出力回路部へ出力する読取処理や、制御回路部からの各種情報を記録面に記録する記録処理を実施する。【００５９】
そして、台座部２１０の上面側には、第一実施形態と同様に、ＴＭカバー部材４００が設けられ、トラバースメカ２００のディスク回転駆動手段２２０の回転用電動モータ、処理移動手段２３０、ピックアップ装置２４０の一部、フレキシブル回路が覆われている。【００６０】
〔ディスク装置の動作〕
次に、第二実施形態のディスク装置１００の動作におけるピックアップ装置のスキュー高さ調整動作について説明する。【００６１】
第二実施形態のディスク装置１００におけるスキュー高さ調整動作では、第一実施形態のディスク装置１００と同様に、まず、台座部２１０に一対のガイドシャフト２３１Ａ，２３１Ｂを配設する。そして、これらのガイドシャフト２３１Ａの両端部、およびガイドシャフト２３１Ｂのディスク回転駆動手段２２０から離隔する一端側の第一シャフト調整部２３１Ｃの調整ねじを適宜調整し、所定スキュー高さ寸法に設定する。【００６２】
次に、第二シャフト調整部３００Ａにてガイドシャフト２３１Ｂのスキュー高さを調整する。
具体的には、第二シャフト調整部３００Ａの調整ねじ３３０を台座部２１０の調整用孔部２１５に螺合させ、調整ねじ３３０を台座部２１０に対してフォーカス方向に進退させる。
この調整ねじ３３０の進退により、調整ねじ３３０の頭部３３２の外周縁がシャフトカム３２０の回動調節面３２２に当接し、シャフトカム３２０を回動させる。シャフトカム３２０が回動すると、回動調節面３２２と回動軸３２１を挟んで反対側に設けられるシャフト当接部３２３Ａがガイドシャフト２３１Ｂ側に対して接離移動し、ガイドシャフト２３１Ｂのフォーカス方向の高さであるスキュー高さが変位する。【００６３】
例えば、調整ねじ３３０を調整用孔部２１５に没入させると、シャフトカム３２０の回動調節面３２２の傾斜面が頭部３３２に押されるため、シャフトカム３２０が図７における時計回り方向に回動する。これにより、シャフトカム３２０のシャフト当接部３２３Ａがガイドシャフト２３１Ｂ側に移動し、ガイドシャフト２３１Ｂの周面が当接部３２３Ｃの楔頂線３２３Ｄ上をシャフトカム３２０における幅方向の略中心位置に向かって移動する。これにより、ガイドシャフト２３１Ｂが案内片２１４に沿って台座部２１０側に押し上げられて、ガイドシャフト２３１Ｂのスキュー高さ位置が設定される。
一方、調整ねじ３３０を調整用孔部２１５から引き抜く方向に移動させると、シャフトカム３２０の回動調節面３２２の傾斜面から頭部３３２が離隔する。また、ガイドシャフト２３１Ｂは、板ばね３１２によりシャフト当接部３２３Ａ側に付勢されているため、この付勢力によりシャフト当接部３２３Ａが台座部２１０から離隔する方向に押されて移動する。そして、シャフトカム３２０が図７における反時計回り方向に回動し、回動調節面３２２が調整ねじ３３０の頭部３３２に当接すると、回動が規制され、ガイドシャフト２３１Ｂのスキュー高さ位置が設定される。
ここで、シャフト当接部３２３Ａは、楔頂線３２３Ｄの接線の回動軸３２１に対する傾斜角βが、回動調節面３２２の回動軸３２１に対する傾斜角αよりも小さくなるように形成されているため、調整ねじ３３０の調整用孔部２１５への挿入量に比べてガイドシャフト２３１Ｂの移動量が小さくなる。また、シャフト当接部３２３Ａは、ガイドシャフト２３１Ｂとの当接点Ｂから回動軸３２１までの距離寸法Ｄｂが、回動調節面３２２における調整ねじ３３０との当接面Ａから回動軸３２１までの距離寸法Ｄａよりも小さくなる状態に形成されている。このため、回動調節面３２２における調整ねじ３３０との当接点Ａの回動移動量よりも、シャフト当接部３２３におけるガイドシャフト２３１Ｂとの当接点Ｂの回動移動量が小さくなる。したがって、ガイドシャフト２３１Ｂのスキュー高さを微調整することが可能となる。【００６４】
〔第二実施形態のディスク装置の作用効果〕
上記したような第二実施形態のディスク装置１００では、前記第一実施形態のディスク装置１００の作用効果に加えて、次のような作用効果が得られる。
すなわち、第二実施形態のディスク装置１００では、シャフト当接部３２３Ａは、仮想傾斜平面３２３Ｂ上に略楔形状の当接部３２３Ｃを設けている。そして、この当接部３２３Ｃは、ガイドシャフト２３１Ｂに当接する楔頂線３２３Ｄの接線の回動軸３２１に対する傾斜角βが、回動調節面３２２の回動軸３２１に対する傾斜角αよりも小さくなる状態に形成されている。
このため、調整ねじ３３０のフォーカス方向の移動量に対して、ガイドシャフト２３１Ｂの移動量を小さくすることができる。したがって、ガイドシャフト２３１のスキュー高さを容易に微調整することができ、高精度にスキュー高さを調整することができる。よって、ピックアップ装置２４０を適切な位置に保持することができる。そして、シャフト当接部３２３Ａにおけるガイドシャフト２３１Ｂとの当接点Ｂの移動軌跡が楔頂線３２３Ｄとなるため、この楔頂線３２３Ｄの傾斜形状を適切に形成することで、容易にガイドシャフト２３１Ｂとシャフト当接部３２３Ａとの当接点Ｂにおける傾斜角度を調整することができる。したがって、シャフトカム３２０の構成が簡単になり、製造性を向上させることができる。【００６５】
〔第三実施形態〕
次に、本発明の第三実施形態のディスク装置について図面に基づいて説明する。図８は、第三実施形態のシャフトカムの概略を示す斜視図である。
なお、第三実施形態において、前記第一実施形態および第二実施形態と略同様の構成については、同符号を付し、その説明を簡略もしくは省略する。
第三実施形態のディスク装置１００は、第一および第二実施形態のディスク装置１００と略同様の構成を備えており、第一および第二実施形態の第二シャフト調整部３００，３００Ａのシャフトカム３２０におけるシャフト当接部３２３，３２３Ａを変形したものである。【００６６】
すなわち、第三実施形態のディスク装置１００は、第一実施形態と同様に、例えば金属製のケース体１１０を有している。また、ケース体１１０内には、第一実施形態と同様に、トレイ部１２０と、このトレイ部１２０をケース体１１０の開口を介して進退させる搬送手段１３０と、ディスク装置１００全体の動作を制御する図示しない制御回路部と、が配設されている。【００６７】
トレイ部１２０は、第一実施形態のトレイ部１２０と同様に、トレイ１２１と、化粧板１２２と、を備えている。
トレイ１２１は、例えば合成樹脂などにて略板状に形成され、略中央部に装着開口１２１Ａが設けられている。
化粧板１２２は、トレイ１２１の一縁に設けられ、搬送手段１３０にてケース体１１０内に後退された状態でケース体１１０の開口を閉塞する合成樹脂などにて細長板状に形成されている。
そして、トレイ部１２０には、第一実施形態のディスク装置１００と同様に、トレイ１２１の装着開口１２１Ａに一部が臨む状態にトラバースメカ２００が配設されている。【００６８】
搬送手段１３０は、第一実施形態の搬送手段１３０と同様に、ケース体１１０内に配設されたガイドレール１３１と、図示しない付勢部材と、図示しない付勢解除手段と、などを備え、トレイ部１２０をケース体１１０の内外に搬送する。【００６９】
トレイ部１２０に配設されたトラバースメカ２００は、第一実施形態のトラバースメカ２００と同様に、トレイ部１２０の化粧板１２２側の一端部からトレイ部１２０の略中心部に向かって長手略板枠状に形成される台座部２１０を備えている。また、この台座部２１０は、トレイ部１２０の略中央位置となる一端側にディスク回転駆動手段２２０が設けられている。さらに、台座部２１０は、台座支持部２１２，２１３を備え、この台座支持部２１２，２１３がフロートゴムを介してトレイ部１２０に取り付けられることで、ディスク回転駆動手段２２０が設けられる一端側がフォーカス方向に進退可能な状態に保持されている。【００７０】
また、台座部２１０には、第一実施形態の台座部２１０と同様に、軸方向が略平行に配設された一対のガイドシャフト２３１Ａ，２３１Ｂと、例えばステッピングモータである移動用電動モータ２３２と、を備えた処理移動手段２３０が配設されている。
ガイドシャフト２３１Ａ，２３１Ｂは、台座部２１０の長手方向に沿って、すなわち化粧板１２２の一端側からディスク回転駆動手段２２０が配設されるトレイ部１２０の略中央位置に向かって配設されている。【００７１】
そして、ガイドシャフト２３１Ｂのディスク回転駆動手段２２０に近接する側の端部には、第二シャフト調整部３００Ｂが設けられている。
そして、この第二シャフト調整部３００Ｂは、案内部としての案内片２１４と、シャフトカム取付金具３１０と、シャフトカム３２０と、を備えている。【００７２】
案内片２１４は、第一実施形態の案内片２１４と同様に、台座部２１０の底面から突出する状態に、台座部２１０に一体形成され、ガイドシャフト２３１Ｂのフォーカス方向への移動を案内している【００７３】
シャフトカム取付金具３１０は、第一実施形態のシャフトカム取付金具３１０と同様に、台座部２１０の底面に沿う略板状の基部３１０Ａを備えている。この基部３１０Ａは、固定部３１１、板ばね３１２、立上部３１３、カム保持片３１３Ａが設けられている。固定部３１１は、シャフトカム取付金具３１０を台座部２１０に固定している。板ばね３１２は、ガイドシャフト２３１Ｂを台座部２１０から離隔する方向に付勢する。立上部３１３およびカム保持片３１３Ａは、シャフトカム３２０を回動可能に保持している。【００７４】
シャフトカム３２０は、第一実施形態のシャフトカム３２０と同様に、長手棒状に形成され、長手方向の略中心位置に台座部２１０の底面に対して略直交する回動軸３２１を備えている。そして、シャフトカム３２０は、回動軸３２１がカム保持片３１３Ａの軸支孔に軸支されることで、回動可能に保持されている。
また、シャフトカム３２０の一側縁３２０Ａのガイドシャフト２３１Ａから離れる一端側には、第一実施形態のシャフトカム３２０と同様に、回動調節面３２２が設けられている。この回動調節面３２２は、シャフトカム３２０の長手方向と略平行する側縁のうち台座部２１０内方側の側縁３２０Ａに沿って、シャフトカム３２０の回動方向に向かって、台座部２１０に略直交する方向であるフォーカス方向に対して傾斜する状態に設けられている。すなわち、回動調節面３２２は、シャフトカム３２０の側縁３２０Ａからシャフトカム３２０の長手方向に略直交する幅方向の略中心位置に向かうにしたがって、台座部２１０に近接する位置から台座部２１０から離れる方向に傾斜する傾斜平面状に形成されている。
また、回動調節面３２２の近傍には、台座部２１０の底面側から天面側に貫通して設けられる調整用孔部２１５に螺合された回動調整手段としての調整ねじ３３０が設けられている。この調整ねじ３３０は、軸部３３１に図示しない雄ねじ部が螺旋形成され、この軸部３３１の端部に軸部３３１より径大となる略円盤状の頭部３３２が一体形成されている。この頭部３３２は、外周縁の一端点が回動調節面３２２の傾斜面の一点である当接点Ａに当接している。そして、この調整ねじ３３０の調整用孔部２１５への螺合状態を調整することにより、頭部３３２および回動調節面３２２の当接点が移動し、シャフトカム３２０は、所定方向に回動されて所定回動位置に位置決めされる。例えば、調整ねじ３３０が台座部２１０の調整用孔部２１５に没入されると、頭部３３２がシャフトカム３２０の回動調節面３２２の傾斜面を台座部２１０側に押圧するため、シャフトカム３２０は、図３における時計回り方向に回動する。【００７５】
さらに、シャフトカム３２０の一側縁３２０Ａの他端側には、ガイドシャフト２３１Ｂに対向する位置にシャフト当接部３２３Ｅが設けられている。このシャフト当接部３２３Ｅは、ガイドシャフト２３１Ｂと対向する一側縁３２０Ａが、外方に向かって所定寸法だけ突出した形状に形成されている。そして、このシャフト当接部３２３Ｅは、側縁３２０Ａの突出先端部からシャフトカム３２０の幅方向の略中心位置に向かうにしたがって、台座部２１０から離隔する位置から台座部２１０に近接する傾斜状に形成され、ガイドシャフト２３１Ｂと当接している。
具体的には、シャフト当接部３２３Ｅは、図８に示すように、側縁３２０Ａの突出先端部からシャフトカム３２０の幅方向の略中心位置に向かう傾斜平面３２３Ｆを備えている。そして、傾斜平面３２３Ｆ上には、シャフトカム３２０の幅方向に延出するリブ部材３２３Ｇが着脱自在に設けられている。ここで、このリブ部材３２３Ｇは、例えばシャフトカム３２０の長手方向に沿う断面が略三角形状に形成され、シャフトカム３２０の一側縁３２０Ａからシャフトカム３２０の幅方向における中心位置に向かうにしたがって台座部２１０から離隔する位置から台座部２１０に近接する方向に傾斜する突出先端縁３２３Ｈを備えた形状に形成されている。この突出先端縁３２３Ｈは、ガイドシャフト２３１Ｂの周面と任意の点（当接点Ｂ）にて当接する。また、この時、リブ部材３２３Ｇは、突出先端縁３２３Ｈにおける接線の回動軸３２１に対する傾斜角βの最大値が、回動調節面３２２の回動軸３２１に対する傾斜角αよりも小さくなる形状に形成されている。なお、この傾斜角βは、突出先端縁３２３Ｈの全領域で同一傾斜角となっていることが好ましく、この場合、シャフトカム３２０の回動量に対するガイドシャフト２３１Ｂの押上げ量が一律となる。
さらに、リブ部材３２３Ｇは、突出先端縁３２３Ｈにおけるガイドシャフト２３１Ｂとの当接点Ｂから回動軸３２１までの距離寸法Ｄｂが、回動調節面３２２における調整ねじ３３０の頭部３３２との当接点Ａから回動軸３２１までの距離寸法Ｄａよりも小さくなる形状に形成されている。【００７６】
そして、シャフトカム３２０には、回動調節面３２２およびシャフト当接部３２３が設けられない他側縁３２０Ｂの両端側の角部に、干渉回避部３２４が設けられている。この干渉回避部３２４は、他側縁３２０Ｂの端部に向かうにしたがって一側縁３２０Ａに近接する方向に傾斜する形状に形成されている。【００７７】
また、台座部２１０に設けられる移動用電動モータの図示しない出力軸には、第一実施形態の移動用電動モータと同様に、外周面に螺旋状の図示しない係合溝が設けられたリードスクリュが同軸上に一体に連結されている。【００７８】
さらに、台座部２１０には、第一実施形態の台座部２１０と同様に、処理移動手段２３０の一対のガイドシャフト２３１Ａ，２３１Ｂに支持されたピックアップ装置２４０が配設されている。
このピックアップ装置２４０は、第一実施形態のピックアップ装置２４０と同様に、一対のガイドシャフト間に架橋する状態で保持される移動保持部２４１を備えている。この移動保持部２４１には、ガイドシャフトを移動可能に嵌挿する図示しない保持部と、移動用電動モータの出力軸に連結されたリードスクリュの係合溝に係合する図示しない移動規制爪部と、を備えている。そして、ピックアップ装置２４０は、例えば図示しないフレキシブル回路により制御回路部に電気的に接続されている。
また、このピックアップ装置２４０は、図示しない光源と、この光源からの光を収束するレンズ２５１と、光ディスクで反射された出射光を検出する図示しない光センサとを有する光ピックアップ２５０を備えている。この光ピックアップ２５０は、ピックアップ装置２４０に接続されるフレキシブル回路に電気的に接続され、このフレキシブル回路を介して制御回路部に接続されている。そして、光ピックアップ２５０は、制御回路部の制御により、光ディスクの記録面に記録された各種情報を読み取って出力回路部へ出力する読取処理や、制御回路部からの各種情報を記録面に記録する記録処理を実施する。【００７９】
そして、台座部２１０の上面側には、第一実施形態と同様に、ＴＭカバー部材４００が設けられ、トラバースメカ２００のディスク回転駆動手段２２０の回転用電動モータ、処理移動手段２３０、ピックアップ装置２４０の一部、フレキシブル回路が覆われている。【００８０】
〔ディスク装置の動作〕
次に、第三実施形態のディスク装置１００の動作におけるピックアップ装置のスキュー高さ調整動作について説明する。【００８１】
第三実施形態のディスク装置１００におけるスキュー高さ調整動作では、第一および第二実施形態のディスク装置１００と同様に、まず、台座部２１０に一対のガイドシャフト２３１Ａ，２３１Ｂを配設する。そして、これらのガイドシャフト２３１Ａの両端部、およびガイドシャフト２３１Ｂのディスク回転駆動手段２２０から離隔する一端側の第一シャフト調整部２３１Ｃの調整ねじを適宜調整し、所定スキュー高さ寸法に設定する。【００８２】
次に、第二シャフト調整部３００Ｂにてガイドシャフト２３１Ｂのスキュー高さを調整する。
具体的には、第二シャフト調整部３００Ｂの調整ねじ３３０を台座部２１０の調整用孔部２１５に螺合させ、調整ねじ３３０を台座部２１０に対してフォーカス方向に進退させる。
この調整ねじ３３０の進退により、調整ねじ３３０の頭部３３２の外周縁がシャフトカム３２０の回動調節面３２２に当接し、シャフトカム３２０を回動させる。シャフトカム３２０が回動すると、回動調節面３２２と回動軸３２１を挟んで反対側に設けられるシャフト当接部３２３Ｅがガイドシャフト２３１Ｂ側に対して接離移動し、ガイドシャフト２３１Ｂのフォーカス方向の高さであるスキュー高さが変位する。【００８３】
例えば、調整ねじ３３０を調整用孔部２１５に没入させると、シャフトカム３２０の回動調節面３２２の傾斜面が頭部３３２に押されるため、シャフトカム３２０が図３における時計回り方向に回動する。これにより、シャフトカム３２０のシャフト当接部３２３Ｅがガイドシャフト２３１Ｂ側に移動し、ガイドシャフト２３１Ｂの周面がリブ部材３２３Ｇの突出先端縁３２３Ｈ上をシャフトカム３２０における幅方向の略中心位置に向かって移動する。これにより、ガイドシャフト２３１Ｂが案内片２１４に沿って台座部２１０側に押し上げられて、ガイドシャフト２３１Ｂのスキュー高さ位置が設定される。
一方、調整ねじ３３０を調整用孔部２１５から引き抜く方向に移動させると、シャフトカム３２０の回動調節面３２２の傾斜面から頭部３３２が離隔する。また、ガイドシャフト２３１Ｂは、板ばね３１２によりシャフト当接部３２３Ｅ側に付勢されているため、この付勢力によりシャフト当接部３２３Ｅが台座部２１０から離隔する方向に押されて移動する。そして、シャフトカム３２０が図３における反時計回り方向に回動し、回動調節面３２２が調整ねじ３３０の頭部３３２に当接すると、回動が規制され、ガイドシャフト２３１Ｂのスキュー高さ位置が設定される。
ここで、シャフト当接部３２３Ｅは、リブ部材３２３Ｇの突出先端縁３２３Ｈの接線の回動軸３２１に対する傾斜角βが、回動調節面３２２の回動軸３２１に対する傾斜角αよりも小さくなるように形成されているため、調整ねじ３３０の調整用孔部２１５への挿入量に比べてガイドシャフト２３１Ｂの移動量が小さくなる。また、シャフト当接部３２３Ｅは、ガイドシャフト２３１Ｂとの当接点Ｂから回動軸３２１までの距離寸法Ｄｂが、回動調節面３２２における調整ねじ３３０との当接面Ａから回動軸３２１までの距離寸法Ｄａよりも小さくなる状態に形成されている。このため、回動調節面３２２における調整ねじ３３０との当接点Ａの回動移動量よりも、シャフト当接部３２３Ｅにおけるガイドシャフト２３１Ｂとの当接点Ｂの回動移動量が小さくなる。したがって、ガイドシャフト２３１Ｂのスキュー高さを微調整することが可能となる。【００８４】
〔第三実施形態のディスク装置の作用効果〕
上記したような第三実施形態のディスク装置１００では、前記第一実施形態のディスク装置１００の作用効果に加えて、次のような作用効果が得られる。
すなわち、第三実施形態のディスク装置１００では、シャフト当接部３２３Ｅは、傾斜平面３２３Ｆ上にシャフトカム３２０の幅方向に演出するリブ部材３２３Ｇを備えている。そして、このリブ部材３２３Ｇは、ガイドシャフト２３１Ｂに当接する突出先端縁３２３Ｈの接線の回動軸３２１に対する傾斜角βが、回動調節面３２２の回動軸３２１に対する傾斜角αよりも小さくなる状態に形成されている。
このため、調整ねじ３３０のフォーカス方向の移動量に対して、ガイドシャフト２３１Ｂの移動量を小さくすることができる。したがって、ガイドシャフト２３１のスキュー高さを容易に微調整することができ、高精度にスキュー高さを調整することができる。よって、ピックアップ装置２４０を適切な位置に保持することができる。
そして、シャフト当接部３２３Ｅにおけるガイドシャフト２３１Ｂとの当接点Ｂの移動軌跡がリブ部材３２３Ｇの突出先端縁３２３Ｈとなるため、この突出先端縁３２３Ｈの傾斜形状を適切に形成することで、容易にガイドシャフト２３１Ｂとシャフト当接部３２３Ｅとの当接点Ｂにおける傾斜角度を調整することができる。したがって、シャフトカム３２０の構成が簡単になり、製造性を向上させることができる。【００８５】
また、リブ部材３２３Ｇは、シャフト当接部３２３Ｅの傾斜平面３２３Ｆに着脱自在に設けられている。
このため、例えばリブ部材３２３Ｇにおける突出先端縁３２３Ｈの傾斜角を変化させるなどすることで、シャフトカム３２０の回動に対するガイドシャフト２３１Ｂの押上げ量を変更することができる。したがって、例えば、ＢＤやＨＤ−ＤＶＤなどを再生可能なディスク装置１００で、より精密なスキュー高さ調整を実施する場合には、突出先端縁３２３Ｈの傾斜が緩やかとなるリブ部材３２３Ｇを傾斜平面３２３Ｆに取り付けるなどすることができる。【００８６】
〔他の実施の形態〕
なお、本発明は、上述した各実施の形態に限定されるものではなく、本発明の目的を達成できる範囲で以下に示される変形をも含むものである。【００８７】
例えば、上記実施形態では、ディスク装置１００として、いわゆるスリムドライブタイプのディスク装置１００を例示したが、これに限られず、例えば前記したように、デスクトップ型パーソナルコンピュータなどに搭載される所定厚み寸法を有するディスクドライブ装置などにも利用することができる。
また、記録媒体として、光ディスクを例示したが、その他光磁気ディスク、磁気ディスク、あるいは、これらを貼り合わせた複合ディスク、カートリッジなどにこれらのディスクを格納したカートリッジタイプの記録媒体など、各種記録媒体を利用することができる。【００８８】
さらに、シャフトとしての円軸上のガイドシャフトを例示したが、例えば断面矩形状や、楕円形状、その他異形状のガイドシャフトを用いてもよい。【００８９】
そして、上記第一実施の形態では、板ばね３１２がシャフトカム取付金具３１０に一体形成される構成を示したが、これに限らない。例えば、上述したように、板ばね３１２がシャフトカム取付金具３１０に一体的に固定される構成としてもよく、台座部２１０に固定される構成、台座部２１０と一体形成される構成などとしてもよい。
さらに、付勢手段として板ばね３１２に限られず、台座部２１０とガイドシャフト２３１Ｂとの間に設けられるコイルばねであってもよく、その他ガイドシャフト２３１Ｂを台座部２１０側からシャフトカム３２０のシャフト当接部３２３側に付勢する構成であれば、いかなる構成の付勢手段であってもよい。【００９０】
また、案内片２１４が台座部２１０に一体形成された例を示したが、前記したように案内片２１４が例えばねじ止めや溶接、接着などの各種固定法により台座部２１０の底面に固定される構成としてもよい。また、案内部として案内片２１４を例示したが、例えば台座部２１０の底面側にガイドシャフト２３１Ｂの軸方向に略直交する板状部材を設け、この板状部材にフォーカス方向の案内溝を形成し、案内溝にガイドシャフト２３１Ｂを保持させるなどしてもよい。【００９１】
さらに、上記実施形態において、シャフト当接部３２３，３２３Ａ，３２３Ｅが、側縁３２０Ａからシャフトカム３２０の中心位置に向かうにしたがって、台座部２１０から離隔する位置から台座部２１０の近接する方向に傾斜した形状に形成される例を示したが、これに限らない。例えば、シャフト当接部３２３，３２３Ａ，３２３Ｅは、側縁３２０Ａからシャフトカム３２０の中心位置に向かうにしたがって、台座部２１０に近接する位置から台座部２１０から離隔する方向に傾斜した形状に形成され、板ばね３１２は、ガイドシャフト２３１Ｂを台座部２１０に近接する方向に付勢する構成などとしてもよい。【００９２】
さらに、シャフトカム３２０が長手棒状に形成された例を示したが、例えばＬ字形状に形成された構成としてもよい。【００９３】
そして、シャフトカム３２０の一側縁３２０Ａに沿って回動調節面３２２が形成される例を示したが、例えば他側縁３２０Ｂ側に形成されたものであってもよい。【００９４】
第二実施形態において、シャフト当接部３２３Ａは、仮想傾斜平面３２３Ｂ上に略楔形状の当接部３２３Ｃがシャフトカム３２０と一体形成された形状を示したが、例えばシャフト当接部３２３Ａに傾斜平面が形成され、この傾斜平面上に別体として形成された略楔形状の当接部３２３Ｃが例えば接着などにより固定された構成としてもよい。このような構成では、例えばＢＤやＨＤ−ＤＶＤなど、より精密にピックアップ装置２４０の位置を調整する必要のある場合、例えば楔頂線３２３Ｄの傾斜角が緩やかな当接部３２３Ｃを用いるなど、ディスク装置１００の種類により適宜シャフト当接部３２３Ａの形状を変更することができる。
また、この場合、傾斜平面に限られず、例えばシャフト当接部３２３Ａがフォーカス方向に対して略直交する平面を備え、この平面上に楔頂線３２３Ｄがフォーカス方向に対して傾斜した略楔形状の当接部３２３Ｃを設ける構成などとしてもよい。【００９５】
第三実施形態において、リブ部材３２３Ｇのシャフトカム３２０に長手方向に沿う断面が略三角形状としたが、例えば断面略矩形状に形成され、突出先端縁３２３Ｈが略矩形面状など他の形状に形成された構成としてもよい。
また、第三実施形態において、リブ部材３２３Ｇを傾斜平面３２３Ｆに着脱自在に取り付ける例を示したが、例えばシャフトカム３２０と一体形成された構成としてもよい。また、リブ部材３２３Ｇとして、例えば環状のリブ部材３２３Ｇをシャフトカム３２０の周面を幅方向に沿って巻装した構成としてもよく、長手棒状のリブ部材３２３Ｇを傾斜平面３２３Ｆの傾斜方向に沿って固着させた構成としてもよい。【００９６】
さらに、第一実施形態において、シャフト当接部３２３は、ガイドシャフト２３１Ｂと当接点Ｂにて点接触し、この当接点Ｂが接触移動軌跡Ｍ上を移動するとしたが、当接点Ｂを含む線分にて線接触する構成としてもよい。この場合、シャフト当接部３２３は、線接触の移動軌跡の接平面の回動軸３２１に対する傾斜角が、回動調節面３２２の回動軸３２１に対する傾斜角αよりも小さい角度となる曲面形状に形成されていればよい。【００９７】
上記第一ないし第三実施形態において、シャフト当接部３２３，３２３Ａ，３２３Ｅは、当接点Ｂから回動軸３２１までの距離Ｄｂが、当接点Ａから回動軸３２１までの距離Ｄａよりも短く、かつ、接触移動軌跡Ｍ、楔頂線３２３Ｄ、突出先端縁３２３Ｈにおける接線の回動軸３２１に対する傾斜角βが、回動調節面３２２の回動軸３２１に対する傾斜角αよりも小さくなるように形成された例を示したが、これに限らない。
例えば、接触移動軌跡Ｍ、楔頂線３２３Ｄ、突出先端縁３２３Ｈにおける接線の回動軸３２１に対する傾斜角βが、回動調節面３２２の回動軸３２１に対する傾斜角αよりも十分に小さく形成されており、調整ねじ３３０の進退移動量に対して、ガイドシャフト２３１Ｂの移動量が小さくなる状態であれば、例えば当接点Ｂから回動軸３２１までの距離Ｄｂが、当接点Ａから回動軸３２１までの距離Ｄａと同等、もしくは大きく形成されている形状であってもよい。同様に、当接点Ｂから回動軸３２１までの距離Ｄｂが、当接点Ａから回動軸３２１までの距離Ｄａが十分に小さく、調整ねじ３３０の進退移動量に対して、ガイドシャフト２３１Ｂの移動量が小さくなる状態であれば、接触移動軌跡Ｍ、楔頂線３２３Ｄ、突出先端縁３２３Ｈにおける接線の回動軸３２１に対する傾斜角βが、回動調節面３２２の回動軸３２１に対する傾斜角αと同等、もしくは大きく形成されている形状であってもよい。【００９８】
また、回動調整手段として、調整ねじ３３０を例示したが、フォーカス方向への移動により回動調節面３２２を押圧してシャフトカム３２０を回動させる構成であれば、特に限定されず、例えば、回動調節面３２２に当接する当接部材を例えばモータなどの駆動力によりフォーカス方向に移動させる構成としてもよい。この場合、制御回路部から出力される信号によりモータを駆動させて当接部材を移動させることで、例えばピックアップ装置２４０の位置ずれを適宜補正可能な構成としてもよい。【００９９】
また、ガイドシャフト２３１Ｂのディスク回転駆動手段２２０に近接する一端部に第二シャフト調整部３００，３００Ａ，３００Ｂを設ける構成を示したが、例えばガイドシャフト２３１Ａのディスク回転駆動手段２２０に近接する一端部にも、この第二シャフト調整部３００，３００Ａ，３００Ｂを設ける構成としてもよい。さらには、ガイドシャフト２３１Ａ，２３１Ｂの両端部にそれぞれ第二シャフト調整部３００，３００Ａ，３００Ｂを設ける構成としてもよい。
このような構成にすることで、ピックアップ装置２４０のスキュー高さをより精密に調整することができる。【０１００】
その他、本発明の実施の際の具体的な構造および手順は、本発明の目的を達成できる範囲で他の構造などに適宜変更できる。【０１０１】
〔実施の形態の効果〕
上述したように、上記第一実施形態のディスク装置１００では、トラバースメカ２００は、ピックアップ装置２４０を移動可能に保持するガイドシャフト２３１Ｂと、ガイドシャフト２３１Ｂのフォーカス方向への移動を案内する案内片２１４と、台座部２１０にフォーカス方向と略同一方向となる回動軸３２１を有するシャフトカム３２０と、ガイドシャフト２３１Ｂを台座部２１０から離れる方向に付勢する板ばね３１２と、を備えている。また、シャフトカム３２０の一端側には、側縁３２０Ａからシャフトカム３２０の中心位置に向かうにしたがって、台座部２１０に近接する位置から台座部２１０から離れる方向に傾斜する回動調節面３２２が設けられ、他端側には、ガイドシャフト２３１Ｂに対向して、側縁３２０Ａからシャフトカム３２０の中心位置に向かうにしたがって、台座部２１０から離れる位置から台座部２１０に近接する方向に傾斜するシャフト当接部３２３が設けられている。そして、シャフトカム３２０のシャフト当接部３２３は、ガイドシャフト２３１Ｂと当接する当接点Ｂから回動軸３２１までの距離が、回動調節面３２２における調整ねじ３３０との当接点Ａから回動軸３２１までの距離よりも小さくなる状態に形成されている。
このため、シャフトカム３２０の回動による、ガイドシャフト２３１Ｂとシャフト当接部３２３との当接点Ｂの移動量は、調整ねじ３３０と回動調節面３２２との当接点Ａが移動する移動量よりも小さくなる。したがって、調整ねじ３３０のフォーカス方向の移動量に比べて、ガイドシャフト２３１Ｂのフォーカス方向への調整量を小さくすることができる。よって、調整ねじ３３０の移動量がガイドシャフト２３１Ｂの移動量となる従来の構成に比べて、より精密に、かつ容易にガイドシャフト２３１Ｂの移動量を調整することができ、ガイドシャフト２３１Ｂのスキュー高さを高精度に調整することができる。これにより、ピックアップ装置２４０を適切な位置で保持することができる。また、適切な位置に設定されたピックアップ装置２４０により、例えばＤＶＤ、ＢＤ、ＨＤ-ＤＶＤといった情報処理を実施する際に精密な光軸設定が必要な装置においても、良好な情報処理を実施することができる。
【産業上の利用分野】
【０１０２】
本発明は、記録媒体に所定の処理を実施するピックアップを保持するピックアップ保持装置、およびディスク装置に利用できる。
【図１】
2008107946.tif 000003
【図２】
2008107946.tif 000004
【図３】
2008107946.tif 000005
【図４】
2008107946.tif 000006
【図５】
2008107946.tif 000007
【図６】
2008107946.tif 000008
【図７】
2008107946.tif 000009
【図８】
2008107946.tif 000010
【国際調査報告】
2008107946.tif 000011
2008107946.tif 000012